(57)【要約】【課題】大気圧が所定の値よりも低い場合に、燃料の圧送量を減らすことができる燃料噴射ポンプを提供することを目的としている。【解決手段】複数のポート穴Ｐが設けられたプランジャバレル１１２と、一つのリード溝Ｒが設けられたプランジャ１１１と、を備え、前記プランジャ１１１の摺動運動によって燃料を圧送する燃料噴射ポンプ１００において、前記プランジャバレル１１２を前記プランジャ１１１の摺動方向を中心として回転可能とする電動アクチュエータ（電磁ソレノイド１３１）と、大気圧を検出する気圧センサＰＳと、を具備し、大気圧が所定の値よりも低い場合に、前記電動アクチュエータ（電磁ソレノイド１３１）が前記プランジャバレル１１２を回転させて、前記リード溝Ｒと連通する前記ポート穴Ｐを前記リード溝Ｒと最も早く連通する位置に設けられた他の前記ポート穴Ｐに変更して燃料の圧送量を減らす、とした。【選択図】図５
2013204502.tif 000002
【特許請求の範囲】
【請求項１】
複数のポート穴が設けられたプランジャバレルと、
一つのリード溝が設けられたプランジャと、を備え、
前記プランジャの摺動運動によって燃料を圧送する燃料噴射ポンプにおいて、
前記プランジャバレルを前記プランジャの摺動方向を中心として回転可能とする電動アクチュエータと、
大気圧を検出する気圧センサと、を具備し、
大気圧が所定の値よりも低い場合に、前記電動アクチュエータが前記プランジャバレルを回転させて、前記リード溝と連通する前記ポート穴を前記リード溝と最も早く連通する位置に設けられた他の前記ポート穴に変更して燃料の圧送量を減らす、ことを特徴とする燃料噴射ポンプ。
【請求項２】
複数のポート穴が設けられたプランジャバレルと、
一つのリード溝が設けられたプランジャと、を備え、
前記プランジャの摺動運動によって燃料を圧送する燃料噴射ポンプにおいて、
前記プランジャバレルを前記プランジャの摺動方向を中心として回転可能とする気圧アクチュエータを具備し、
大気圧が所定の値よりも低い場合に、前記気圧アクチュエータが前記プランジャバレルを回転させて、前記リード溝と連通する前記ポート穴を前記リード溝と最も早く連通する位置に設けられた他の前記ポート穴に変更して燃料の圧送量を減らす、ことを特徴とする燃料噴射ポンプ。
【請求項３】
一つのポート穴が設けられたプランジャバレルと、
複数のリード溝が設けられたプランジャと、を備え、
前記プランジャの摺動運動によって燃料を圧送する燃料噴射ポンプにおいて、
前記プランジャを該プランジャの摺動方向を中心として回転可能とする電動アクチュエータと、
大気圧を検出する気圧センサと、を具備し、
大気圧が所定の値よりも低い場合に、前記電動アクチュエータが前記プランジャを回転させて、前記ポート穴と連通する前記リード溝を前記ポート穴と最も早く連通する位置に設けられた他の前記リード溝に変更して燃料の圧送量を減らす、ことを特徴とする燃料噴射ポンプ。
【請求項４】
一つのポート穴が設けられたプランジャバレルと、
複数のリード溝が設けられたプランジャと、を備え、
前記プランジャの摺動運動によって燃料を圧送する燃料噴射ポンプにおいて、
前記プランジャを該プランジャの摺動方向を中心として回転可能とする気圧アクチュエータを具備し、
大気圧が所定の値よりも低い場合に、前記気圧アクチュエータが前記プランジャを回転させて、前記ポート穴と連通する前記リード溝を前記ポート穴と最も早く連通する位置に設けられた他の前記リード溝に変更して燃料の圧送量を減らす、ことを特徴とする燃料噴射ポンプ。
【発明の詳細な説明】
【技術分野】
【０００１】
本発明は、燃料噴射ポンプの技術に関する。より詳細には、大気圧が所定の値よりも低い場合に、燃料の圧送量を減らすことができる燃料噴射ポンプの技術に関する。
【背景技術】
【０００２】
従来より、ディーゼルエンジンの燃焼室へ燃料を圧送する燃料噴射ポンプが公知となっている（例えば特許文献１及び特許文献２参照）。燃料噴射ポンプは、大気圧が所定の範囲内にある場合に、ディーゼルエンジンが目標とする性能を発揮できるように設計されている。
【０００３】
しかし、大気圧が所定の値よりも低い場合においては、燃料噴射ポンプから圧送される燃料に対して燃焼室内の空気が不足するため、排気に含まれる粒子状物質が増加するという問題を生じていた。つまり、大気圧が所定の値よりも低い場合においては、燃料噴射ポンプによる燃料の圧送量に対して吸入される空気量が少ないために不完全燃焼が発生し、排気に含まれる粒子状物質が増加するという問題を生じていたのである。
【先行技術文献】
【特許文献】
【０００４】
【特許文献１】特開２００８−３８８４９号公報
【特許文献２】特開２００９−２０９８０２号公報
【発明の概要】
【発明が解決しようとする課題】
【０００５】
本発明は、大気圧が所定の値よりも低い場合に、燃料の圧送量を減らすことができる燃料噴射ポンプを提供することを目的としている。
【課題を解決するための手段】
【０００６】
本発明の解決しようとする課題は以上の如くであり、次にこの課題を解決するための手段を説明する。
【０００７】
即ち、請求項１においては、
複数のポート穴が設けられたプランジャバレルと、
一つのリード溝が設けられたプランジャと、を備え、
前記プランジャの摺動運動によって燃料を圧送する燃料噴射ポンプにおいて、
前記プランジャバレルを前記プランジャの摺動方向を中心として回転可能とする電動アクチュエータと、
大気圧を検出する気圧センサと、を具備し、
大気圧が所定の値よりも低い場合に、前記電動アクチュエータが前記プランジャバレルを回転させて、前記リード溝と連通する前記ポート穴を前記リード溝と最も早く連通する位置に設けられた他の前記ポート穴に変更して燃料の圧送量を減らす、としたものである。
【０００８】
請求項２においては、
複数のポート穴が設けられたプランジャバレルと、
一つのリード溝が設けられたプランジャと、を備え、
前記プランジャの摺動運動によって燃料を圧送する燃料噴射ポンプにおいて、
前記プランジャバレルを前記プランジャの摺動方向を中心として回転可能とする気圧アクチュエータを具備し、
大気圧が所定の値よりも低い場合に、前記気圧アクチュエータが前記プランジャバレルを回転させて、前記リード溝と連通する前記ポート穴を前記リード溝と最も早く連通する位置に設けられた他の前記ポート穴に変更して燃料の圧送量を減らす、としたものである。
【０００９】
請求項３においては、
一つのポート穴が設けられたプランジャバレルと、
複数のリード溝が設けられたプランジャと、を備え、
前記プランジャの摺動運動によって燃料を圧送する燃料噴射ポンプにおいて、
前記プランジャを該プランジャの摺動方向を中心として回転可能とする電動アクチュエータと、
大気圧を検出する気圧センサと、を具備し、
大気圧が所定の値よりも低い場合に、前記電動アクチュエータが前記プランジャを回転させて、前記ポート穴と連通する前記リード溝を前記ポート穴と最も早く連通する位置に設けられた他の前記リード溝に変更して燃料の圧送量を減らす、としたものである。
【００１０】
請求項４においては、
一つのポート穴が設けられたプランジャバレルと、
複数のリード溝が設けられたプランジャと、を備え、
前記プランジャの摺動運動によって燃料を圧送する燃料噴射ポンプにおいて、
前記プランジャを該プランジャの摺動方向を中心として回転可能とする気圧アクチュエータを具備し、
大気圧が所定の値よりも低い場合に、前記気圧アクチュエータが前記プランジャを回転させて、前記ポート穴と連通する前記リード溝を前記ポート穴と最も早く連通する位置に設けられた他の前記リード溝に変更して燃料の圧送量を減らす、としたものである。
【発明の効果】
【００１１】
本発明の効果として、以下に示すような効果を奏する。
【００１２】
請求項１に記載の燃料噴射ポンプは、大気圧が所定の値よりも低い場合に、リード溝と連通するポート穴を変更して燃料の圧送終了時期を早める。これにより、本実施形態に係る燃料噴射ポンプは、大気圧が所定の値よりも低い場合に、燃料の圧送量を減らすことが可能となる。従って、ディーゼルエンジンの排気に含まれる粒子状物質を低減させることが可能となる。
【００１３】
請求項２に記載の燃料噴射ポンプは、大気圧が所定の値よりも低い場合に、リード溝と連通するポート穴を変更して燃料の圧送終了時期を早める。これにより、本実施形態に係る燃料噴射ポンプは、大気圧が所定の値よりも低い場合に、燃料の圧送量を減らすことが可能となる。従って、ディーゼルエンジンの排気に含まれる粒子状物質を低減させることが可能となる。また、気圧センサ等が不要となるために簡素な構成で実現できる。
【００１４】
請求項３に記載の燃料噴射ポンプは、大気圧が所定の値よりも低い場合に、ポート穴と連通するリード溝を変更して燃料の圧送終了時期を早める。これにより、本実施形態に係る燃料噴射ポンプは、大気圧が所定の値よりも低い場合に、燃料の圧送量を減らすことが可能となる。従って、ディーゼルエンジンの排気に含まれる粒子状物質を低減させることが可能となる。
【００１５】
請求項４に記載の燃料噴射ポンプは、大気圧が所定の値よりも低い場合に、ポート穴と連通するリード溝を変更して燃料の圧送終了時期を早める。これにより、本実施形態に係る燃料噴射ポンプは、大気圧が所定の値よりも低い場合に、燃料の圧送量を減らすことが可能となる。従って、ディーゼルエンジンの排気に含まれる粒子状物質を低減させることが可能となる。また、気圧センサ等が不要となるために簡素な構成で実現できる。
【図面の簡単な説明】
【００１６】
【図１】燃料噴射ポンプの全体構成を示す図。
【図２】（Ａ）燃料圧送機構の構造を示す図。（Ｂ）燃料圧送機構を構成するプランジャの動作を示す図。
【図３】（Ａ）ガバナ機構によって燃料の圧送量が増える場合の動作を示す図。（Ｂ）ガバナ機構によって燃料の圧送量が減る場合の動作を示す図。
【図４】（Ａ）コントロールレバーの操作によって燃料の圧送量を増やす場合の動作を示す図。（Ｂ）コントロールレバーの操作によって燃料の圧送量を減らす場合の動作を示す図。
【図５】（Ａ）第一実施形態に係る燃料噴射ポンプの燃料圧送機構の構造を示す図。（Ｂ）燃料圧送機構を構成するプランジャバレルの動作を示す図。
【図６】（Ａ）大気圧が所定の値よりも高い場合における圧送動作を示す図。（Ｂ）大気圧が所定の値よりも低い場合における圧送動作を示す図。
【図７】（Ａ）第二実施形態に係る燃料噴射ポンプの燃料圧送機構の構造を示す図。（Ｂ）燃料圧送機構を構成するプランジャの動作を示す図。
【図８】（Ａ）大気圧が所定の値よりも高い場合における圧送動作を示す図。（Ｂ）大気圧が所定の値よりも低い場合における圧送動作を示す図。
【発明を実施するための形態】
【００１７】
まず、従来の燃料噴射ポンプＦＰについて簡単に説明する。
【００１８】
図１は、燃料噴射ポンプＦＰの全体構成を示す図である。燃料噴射ポンプＦＰは、主に圧送装置１と、調速装置２と、で構成されている。なお、燃料噴射ポンプＦＰの上下方向及び前後方向を定義して図中に示す。
【００１９】
圧送装置１は、供給された燃料を圧送する部分である。圧送装置１は、主に燃料圧送機構１１と、カムシャフト１２と、で構成されている。なお、本燃料噴射ポンプＦＰは、直列３気筒エンジンに搭載されるものであるため、三つの燃料圧送機構１１を備えている。燃料圧送機構１１は、ディーゼルエンジンの動力を受けて回転するカムシャフト１２によって駆動される。つまり、カムシャフト１２によって燃料圧送機構１１を構成するプランジャ１１１が摺動される（図２（Ｂ）参照）。
【００２０】
調速装置２は、燃料の圧送量を調節する部分である。調速装置２は、主にガバナ機構２１と、リンク機構２２と、で構成されている。ガバナ機構２１は、カムシャフト１２の回転速度に基づいてリンク機構２２を駆動する。リンク機構２２は、ガバナ機構２１からの入力やオペレータからの指示に基づいて燃料圧送機構１１を駆動する。つまり、ガバナ機構２１やリンク機構２２によって燃料圧送機構１１を構成するプランジャ１１１が回転される（図２（Ｂ）参照）。
【００２１】
次に、燃料圧送機構１１の構造と作動態様について説明する。
【００２２】
図２（Ａ）は、燃料圧送機構１１の構造を示す図である。図２（Ｂ）は、燃料圧送機構１１を構成するプランジャ１１１の動作を示す図である。なお、図中の矢印は、プランジャ１１１の動作方向を示している。
【００２３】
図２（Ａ）に示すように、燃料圧送機構１１は、主にプランジャ１１１と、プランジャバレル１１２と、デリベリバルブ１１３と、コントロールスリーブ１１４と、スプリング１１５と、で構成されている。
【００２４】
プランジャ１１１は、プランジャバレル１１２に摺動可能に内設されている。プランジャ１１１は、スプリング１１５によってカムシャフト１２側へ付勢されており、該カムシャフト１２の回転によって摺動される。プランジャ１１１の上下方向の中途部には、該プランジャ１１１と一体となって回転するコントロールスリーブ１１４が外嵌されている。そして、コントロールスリーブ１１４の外周に設けられたピニオンギヤは、リンク機構２２を構成するコントロールラック２２４のラックギヤと歯合されている。
【００２５】
燃料の圧送は、プランジャ１１１がプランジャバレル１１２のポート穴Ｐを塞ぐことで開始される。詳細に説明すると、プランジャ１１１が上方向へ摺動してポート穴Ｐを塞ぐと、燃料室Ｆｃ内の圧力が上昇する。そして、燃料室Ｆｃ内の圧力が所定の値を超えると、デリベリバルブ１１３が開弁して燃料の圧送が開始される。
【００２６】
また、燃料の圧送は、プランジャ１１１に設けられたリード溝Ｒとプランジャバレル１１２のポート穴Ｐが連通することで終了する。詳細に説明すると、プランジャ１１１が上方向へ摺動してリード溝Ｒとポート穴Ｐが連通すると、燃料がポート穴Ｐから逃げて燃料室Ｆｃ内の圧力が低下する。そして、燃料室Ｆｃ内の圧力が所定の値よりも下がると、デリベリバルブ１１３が閉弁して燃料の圧送が終了する。
【００２７】
なお、燃料の圧送量の調節は、「プランジャ１１１がポート穴Ｐを塞ぐ時期」を変更することで実現される。詳細に説明すると、プランジャ１１１の上端面には、上下方向に対して所定の角度となるように傾斜面Ｓｐが設けられている。従って、プランジャ１１１を回転させることで「プランジャ１１１がポート穴Ｐを塞ぐ時期」を変更できる。また、燃料の圧送量の調節は、「リード溝Ｒとポート穴Ｐが連通する時期」を変更することでも実現できる。リード溝Ｒは、プランジャ１１１の上下方向に対して所定の角度となるように該プランジャ１１１の中途部に設けられている。従って、プランジャ１１１を回転させることで「リード溝Ｒとポート穴が連通する時期」を変更できる。こうすることで、デリベリバルブ１１３の開弁時期と閉弁時期を変化させて、燃料の圧送量を調節しているのである。
【００２８】
次に、ガバナ機構２１及びリンク機構２２の構造と作動態様について説明する。
【００２９】
図３（Ａ）は、ガバナ機構２１によって燃料の圧送量が増える場合の動作を示す図である。図３（Ｂ）は、ガバナ機構２１によって燃料の圧送量が減る場合の動作を示す図である。なお、図中の矢印は、ガバナ機構２１及びリンク機構２２を構成する各部材の動作方向を示している。
【００３０】
また、図４（Ａ）は、コントロールレバー２２１の操作によって燃料の圧送量を増やす場合の動作を示す図である。図４（Ｂ）は、コントロールレバー２２１の操作によって燃料の圧送量を減らす場合の動作を示す図である。なお、図中の矢印は、リンク機構２２を構成する各部材の動作方向を示している。
【００３１】
図３、図４に示すように、ガバナ機構２１は、主にガバナスリーブ２１１と、ガバナウエイト２１２と、で構成されている。また、リンク機構２２は、主にコントロールレバー２２１と、テンションレバー２２２と、ガバナレバー２２３と、コントロールラック２２４と、で構成されている。
【００３２】
ガバナスリーブ２１１は、カムシャフト１２に摺動可能に外嵌されている。ガバナスリーブ２１１は、爪部がガバナウエイト２１２の凹部に掛けられているため、該ガバナウエイト２１２が回動することによってカムシャフト１２の軸方向へ摺動される。なお、ガバナレバー２２３は、ガバナスリーブ２１１の一端部と当接しているため、該ガバナスリーブ２１１が摺動することによって回動軸ＳＨ２を中心に回動される。
【００３３】
コントロールレバー２２１は、回動軸ＳＨ１を中心として回動自在に支持されている。コントロールレバー２２１は、オペレータによって操作されるコントロールワイヤによって回動される。テンションレバー２２２は、回動軸ＳＨ２を中心として回動自在に支持されている。テンションレバー２２２は、スプリングを介してコントロールレバー２２１と連結されており、該コントロールレバー２２１によって回動される。ガバナレバー２２３は、同じく回動軸ＳＨ２を中心として回動自在に支持されている。ガバナレバー２２３は、テンションレバー２２２と連結されており、該テンションレバー２２２によって回動される。そして、ガバナレバー２２３の一端部には、ガバナリンクを介してコントロールラック２２４が取り付けられている。
【００３４】
図３（Ａ）に示すように、カムシャフト１２の回転速度が減速した場合には、ガバナウエイト２１２にはたらく遠心力が低下するため、該ガバナウエイト２１２は互いに近接する閉方向に回動する。すると、ガバナスリーブ２１１は、ガバナウエイト２１２の回動によって一方向に摺動するため、ガバナレバー２２３が回動されてコントロールラック２２４を引くのである。そして、コントロールラック２２４によってプランジャ１１１が回転すると、燃料の圧送量が増えることになる（図２（Ｂ）参照）。
【００３５】
一方、図３（Ｂ）に示すように、カムシャフト１２の回転速度が増速した場合には、ガバナウエイト２１２にはたらく遠心力が増加するため、該ガバナウエイト２１２は互いに離間する開方向に回動する。すると、ガバナスリーブ２１１は、ガバナウエイト２１２の回動によって他方向に摺動するため、ガバナレバー２２３が回動されてコントロールラック２２４を押すのである。そして、コントロールラック２２４によってプランジャ１１１が回転すると、燃料の圧送量が減ることになる（図２（Ｂ）参照）。
【００３６】
このような構成により、燃料噴射ポンプＦＰは、ディーゼルエンジンにかかる負荷の変化、即ち、カムシャフト１２の回転速度の変化に応じて燃料の圧送量を調節でき、ディーゼルエンジンの運転状態を安定させることを可能としている。
【００３７】
また、図４（Ａ）に示すように、オペレータがコントロールレバー２２１を一方向に回動した場合には、該コントロールレバー２２１によってテンションレバー２２２が回動される。すると、ガバナレバー２２３は、テンションレバー２２２に連結されているため、該テンションレバー２２２とともに回動されてコントロールラック２２４を引くのである。そして、コントロールラック２２４によってプランジャ１１１が回転すると、燃料の圧送量が増えることになる（図２（Ｂ）参照）。
【００３８】
一方、図４（Ｂ）に示すように、オペレータがコントロールレバー２２１を他方向に回動した場合には、該コントロールレバー２２１によってテンションレバー２２２が回動される。すると、ガバナレバー２２３は、テンションレバー２２２に連結されているため、該テンションレバー２２２とともに回動されてコントロールラック２２４を押すのである。そして、コントロールラック２２４によってプランジャ１１１が回転すると、燃料の圧送量が減ることになる（図２（Ｂ）参照）。
【００３９】
このような構成により、燃料噴射ポンプＦＰは、オペレータの要求に応じて燃料の圧送量を調節でき、ディーゼルエンジンの運転状態を変更することを可能としている。
【００４０】
次に、本発明の第一実施形態に係る燃料噴射ポンプ１００について説明する。但し、上述した燃料噴射ポンプＦＰと同じ部分については説明を省き、異なる部分を中心に説明する。
【００４１】
図５（Ａ）は、第一実施形態に係る燃料噴射ポンプ１００の燃料圧送機構１１の構造を示す図である。図５（Ｂ）は、燃料圧送機構１１を構成するプランジャバレル１１２の動作を示す図である。なお、図中の矢印は、プランジャバレル１１２の動作方向を示している。
【００４２】
また、図６（Ａ）は、大気圧が所定の値よりも高い場合における圧送動作を示す図である。図６（Ｂ）は、大気圧が所定の値よりも低い場合における圧送動作を示す図である。なお、図中の矢印は、燃料の流れ方向を示している。
【００４３】
本燃料噴射ポンプ１００は、従来の燃料噴射ポンプＦＰと比較して、プランジャバレル１１２に二つのポート穴Ｐ（第一ポート穴Ｐ１・第二ポート穴Ｐ２）が設けられている点で相違する。また、本燃料噴射ポンプ１００は、従来の燃料噴射ポンプＦＰと比較して、圧送量変更装置１３を備える点で相違する。圧送量変更装置１３は、プランジャバレル１１２をプランジャ１１１の摺動方向を中心として回転可能とする電動アクチュエータを備える。圧送量変更装置１３は、電動アクチュエータである電磁ソレノイド１３１のほか、コントロールスリーブ１３２と、コントロールラック１３３と、で構成されている。なお、電動アクチュエータは、例えば電動モータ等であっても良い。
【００４４】
燃料噴射ポンプ１００のプランジャバレル１１２は、プランジャ１１１の摺動方向を中心として回転可能に構成されている。プランジャバレル１１２の上下方向の中途部には、該プランジャバレル１１２と一体となって回転するコントロールスリーブ１３２が外嵌されている。そして、コントロールスリーブ１３２の外周に設けられたピニオンギヤは、電磁ソレノイド１３１によって駆動されるコントロールラック１３３のラックギヤと歯合されている。
【００４５】
プランジャバレル１１２は、電磁ソレノイド１３１の作動によって回転される。このため、電磁ソレノイド１３１が作動していない状態では、プランジャ１１１の摺動によってリード溝Ｒが第一ポート穴Ｐ１と連通する。一方、電磁ソレノイド１３１が作動している状態では、プランジャ１１１の摺動によってリード溝Ｒが第二ポート穴Ｐ２と連通する。つまり、電磁ソレノイド１３１は、プランジャバレル１１２を回転させることによってリード溝Ｒと連通するポート穴Ｐを変更可能とする。なお、リード溝Ｒと第二ポート穴Ｐ２が連通する時期は、リード溝Ｒと第一ポート穴Ｐ１が連通する時期よりも早いとされる。
【００４６】
また、電磁ソレノイド１３１は、制御装置ＥＣＵと接続されている。制御装置ＥＣＵは、気圧センサＰＳから検出信号を受信するとともに、検出信号に応じた制御信号を作成して電磁ソレノイド１３１を制御する。具体的に説明すると、制御装置ＥＣＵは、気圧センサＰＳからの検出信号に基づいて大気圧を把握する。そして、制御装置ＥＣＵは、大気圧の値が予め定められている閾値よりも低い場合に電磁ソレノイド１３１を作動させる。従って、本燃料噴射ポンプ１００は、大気圧が所定の値よりも高い場合にリード溝Ｒと第一ポート穴Ｐ１が連通し、大気圧が所定の値よりも低い場合にリード溝Ｒと第二ポート穴Ｐ２が連通する。
【００４７】
図６（Ａ）に示すように、大気圧が所定の値よりも高い場合は、電磁ソレノイド１３１が作動せず、プランジャバレル１１２は回転しない。燃料の圧送は、プランジャ１１１が上方向へ摺動して第一ポート穴Ｐ１を塞いた後に、燃料室Ｆｃ内の圧力が所定の値を超えると開始されることとなる（図（Ａ−１）参照）。そして、燃料の圧送は、プランジャ１１１が上方向へ摺動してリード溝Ｒが第一ポート穴Ｐ１と連通し、燃料室Ｆｃ内の圧力が所定の値よりも下がると終了される（図（Ａ−３）参照）。
【００４８】
なお、図中のＬ１は、燃料の圧送開始時期から圧送終了時期までのプランジャ１１１の摺動距離（有効ストローク）を示している。本燃料噴射ポンプ１００では、有効ストロークを上述した燃料噴射ポンプＦＰの有効ストロークと略同一とすることで同じ圧送特性を確保している。
【００４９】
一方、図６（Ｂ）に示すように、大気圧が所定の値よりも低い場合は、電磁ソレノイド１３１が作動してプランジャバレル１１２を１８０°回転させる。燃料の圧送は、プランジャ１１１が上方向へ摺動して第一ポート穴Ｐ１を塞いた後に、燃料室Ｆｃ内の圧力が所定の値を超えると開始されることとなる（図（Ｂ−１）参照）。そして、燃料の圧送は、プランジャ１１１が上方向へ摺動してリード溝Ｒが第二ポート穴Ｐ２と連通し、燃料室Ｆｃ内の圧力が所定の値よりも下がると終了される（図（Ｂ−２）参照）。
【００５０】
なお、図中のＬ２は、燃料の圧送開始時期から圧送終了時期までのプランジャ１１１の摺動距離（有効ストローク）を示している。
【００５１】
このように、本実施形態に係る燃料噴射ポンプ１００は、大気圧が所定の値よりも低い場合に、リード溝Ｒと連通するポート穴Ｐを変更して燃料の圧送終了時期を早めることができる。即ち、本燃料噴射ポンプ１００は、大気圧が所定の値よりも低い場合に、有効ストロークを短縮させることができる（Ｌ１＞Ｌ２）。これにより、燃料噴射ポンプ１００は、大気圧が所定の値よりも低い場合に、燃料の圧送量を減らすことが可能となる。従って、ディーゼルエンジンの排気に含まれる粒子状物質を低減させることが可能となる。
【００５２】
次に、本発明の第二実施形態に係る燃料噴射ポンプ２００について説明する。但し、上述した燃料噴射ポンプＦＰと同じ部分については説明を省き、異なる部分を中心に説明する。
【００５３】
図７（Ａ）は、第二実施形態に係る燃料噴射ポンプ２００の燃料圧送機構１１の構造を示す図である。図７（Ｂ）は、燃料圧送機構１１を構成するプランジャ１１１の動作を示す図である。なお、図中の矢印は、プランジャバレル１１２の動作方向を示している。
【００５４】
また、図８（Ａ）は、大気圧が所定の値よりも高い場合における圧送動作を示す図である。図８（Ｂ）は、大気圧が所定の値よりも低い場合における圧送動作を示す図である。なお、図中の矢印は、燃料の流れ方向を示している。
【００５５】
本燃料噴射ポンプ２００は、従来の燃料噴射ポンプＦＰと比較して、プランジャ１１１に二つのリード溝Ｒ（第一リード溝Ｒ１・第二リード溝Ｒ２）が設けられている点で相違する。また、本燃料噴射ポンプ２００は、従来の燃料噴射ポンプＦＰと比較して、圧送量変更装置１３を備える点で相違する。圧送量変更装置１３は、プランジャ１１１を該プランジャ１１１の摺動方向を中心として回転可能とする電動アクチュエータを備える。圧送量変更装置１３は、電動アクチュエータである電磁ソレノイド１３１のほか、コントロールスリーブ１３２と、コントロールラック１３３と、で構成されている。なお、電動アクチュエータは、例えば電動モータ等であっても良い。
【００５６】
燃料噴射ポンプ２００のプランジャ１１１は、該プランジャ１１１の摺動方向を中心として回転可能に構成されている。プランジャ１１１の上下方向の中途部には、該プランジャ１１１と一体となって回転するコントロールスリーブ１３２が外嵌されている。そして、コントロールスリーブ１３２の外周に設けられたピニオンギヤは、電磁ソレノイド１３１によって駆動されるコントロールラック１３３のラックギヤと歯合されている。
【００５７】
ここで、電磁ソレノイド１３１がプランジャ１１１を回転させる動作は、ガバナ機構２１及びリンク機構２２がプランジャ１１１を回転させる動作を妨げないように構成されている。また、ガバナ機構２１及びリンク機構２２がプランジャ１１１を回転させる動作は、電磁ソレノイド１３１がプランジャ１１１を回転させる動作を妨げないように構成されている。これは、コントロールスリーブ１１４及びコントロールスリーブ１３２に電磁クラッチを内臓することで実現している。
【００５８】
プランジャ１１１は、電磁ソレノイド１３１の作動によって回転される。このため、電磁ソレノイド１３１が作動していない状態では、プランジャ１１１の摺動によってポート穴Ｐと第二リード溝Ｒ２が連通する。一方、電磁ソレノイド１３１が作動している状態では、プランジャ１１１の摺動によってポート穴Ｐと第一リード溝Ｒ１が連通する。つまり、電磁ソレノイド１３１は、プランジャ１１１を回転させることによってポート穴Ｐと連通するリード溝Ｒを変更可能とする。なお、ポート穴Ｐと第一リード溝Ｒ１が連通する時期は、ポート穴Ｐと第二リード溝Ｒ２が連通する時期よりも早いとされる。
【００５９】
また、電磁ソレノイド１３１は、制御装置ＥＣＵと接続されている。制御装置ＥＣＵは、気圧センサＰＳから検出信号を受信するとともに、検出信号に応じた制御信号を作成して電磁ソレノイド１３１を制御する。具体的に説明すると、制御装置ＥＣＵは、気圧センサＰＳからの検出信号に基づいて大気圧を把握する。そして、制御装置ＥＣＵは、大気圧の値が予め定められている閾値よりも低い場合に電磁ソレノイド１３１を作動させる。従って、本燃料噴射ポンプ２００は、大気圧が所定の値よりも高い場合にポート穴Ｐと第二リード溝Ｒ２が連通し、大気圧が所定の値よりも低い場合にポート穴Ｐと第一リード溝Ｒ１が連通する。
【００６０】
図８（Ａ）に示すように、大気圧が所定の値よりも高い場合は、電磁ソレノイド１３１が作動せず、プランジャ１１１は回転しない。燃料の圧送は、プランジャ１１１が上方向へ摺動してポート穴Ｐを塞いた後に、燃料室Ｆｃ内の圧力が所定の値を超えると開始されることとなる（図（Ａ−１）参照）。そして、燃料の圧送は、プランジャ１１１が上方向へ摺動してポート穴Ｐが第二リード溝Ｒ２と連通し、燃料室Ｆｃ内の圧力が所定の値よりも下がると終了される（図（Ａ−３）参照）。
【００６１】
なお、図中のＬ１は、燃料の圧送開始時期から圧送終了時期までのプランジャ１１１の摺動距離（有効ストローク）を示している。本燃料噴射ポンプ２００では、有効ストロークを上述した燃料噴射ポンプＦＰの有効ストロークと略同一とすることで同じ圧送特性を確保している。
【００６２】
一方、図８（Ｂ）に示すように、大気圧が所定の値よりも低い場合は、電磁ソレノイド１３１が作動してプランジャ１１１を１８０°回転させる。燃料の圧送は、プランジャ１１１が上方向へ摺動してポート穴Ｐを塞いた後に、燃料室Ｆｃ内の圧力が所定の値を超えると開始されることとなる（図（Ｂ−１）参照）。そして、燃料の圧送は、プランジャ１１１が上方向へ摺動してポート穴Ｐが第一リード溝Ｒ１と連通し、燃料室Ｆｃ内の圧力が所定の値よりも下がると終了される（図（Ｂ−２）参照）。
【００６３】
なお、図中のＬ２は、燃料の圧送開始時期から圧送終了時期までのプランジャ１１１の摺動距離（有効ストローク）を示している。
【００６４】
このように、本実施形態に係る燃料噴射ポンプ２００は、大気圧が所定の値よりも低い場合に、ポート穴Ｐと連通するリード溝Ｒを変更して燃料の圧送終了時期を早めることができる。即ち、本燃料噴射ポンプ２００は、大気圧が所定の値よりも低い場合に、有効ストロークを短縮させることができる（Ｌ１＞Ｌ２）。これにより、燃料噴射ポンプ２００は、大気圧が所定の値よりも低い場合に、燃料の圧送量を減らすことが可能となる。従って、ディーゼルエンジンの排気に含まれる粒子状物質を低減させることが可能となる。
【００６５】
なお、本燃料噴射ポンプ２００では、電磁ソレノイド１３１がコントロールラック１３３等を介してプランジャ１１１を回転させる構成であるが、例えばコントロールスリーブ１１４にロータリソレノイドを内臓し、該ロータリソレノイドがプランジャ１１１を回転させる構成であっても良い。
【００６６】
また、本発明に係る燃料噴射ポンプ１００・２００は、電磁ソレノイド１３１に代えて気圧アクチュエータを備えた構成であっても良い。気圧アクチュエータは、大気圧によって真空容器が膨張又は収縮する原理（アネロイド気圧計等に用いられる原理）を利用したものが予定される。
【００６７】
このような構成により、燃料噴射ポンプ１００・２００は、気圧センサＰＳ等が不要となるために簡素な構成で実現できる。
【符号の説明】
【００６８】
１００    燃料噴射ポンプ
２００    燃料噴射ポンプ
１        圧送装置
１１      燃料圧送機構
１１１    プランジャ
１１２    プランジャバレル
１１３    デリベリバルブ
１１４    コントロールスリーブ
１１５    スプリング
１２      カムシャフト
１３      圧送量変更装置
１３１    電動アクチュエータ（電磁ソレノイド）
１３２    コントロールスリーブ
１３３    コントロールラック
２        調速装置
２１      ガバナ機構
２１１    ガバナスリーブ
２１２    ガバナウエイト
２２      リンク機構
２２１    コントロールレバー
２２２    テンションレバー
２２３    ガバナレバー
２２４    コントロールラック
ＥＣＵ    制御装置
ＰＳ      気圧センサ
Ｐ        ポート穴
Ｐ１      第一ポート穴
Ｐ２      第二ポート穴
Ｒ        リード溝
Ｒ１      第一リード溝
Ｒ２      第二リード溝
Ｌ１      有効ストローク
Ｌ２      有効ストローク
【図１】
2013204502.tif 000003
【図２】
2013204502.tif 000004
【図３】
2013204502.tif 000005
【図４】
2013204502.tif 000006
【図５】
2013204502.tif 000007
【図６】
2013204502.tif 000008
【図７】
2013204502.tif 000009
【図８】
2013204502.tif 000010